(57)【要約】  プログラマブル表示器に表示させる画面（１０１）を、グラフィカルユーザインタフェース上での部品の配置により作成するための画面作成システムであって、グラフィカルユーザインタフェース上のプロパティ登録ウィンドウにて、複数の部品と、部品を構成する設定項目とをテンプレートとして登録するための、設定項目の選択を受け付ける手段を有し、テンプレートへ登録された設定項目をグラフィカルユーザインタフェースのプロパティウィンドウにて一覧表示する。
2012086049.tif 000002
【特許請求の範囲】
【請求項１】
プログラマブル表示器に表示させる画面を、グラフィカルユーザインタフェース上での部品の配置により作成するための画面作成システムであって、
前記グラフィカルユーザインタフェース上にて、複数の前記部品と、前記部品を構成する設定項目とをテンプレートとして登録するための、前記設定項目の選択を受け付ける手段を有することを特徴とするプログラマブル表示器の画面作成システム。
【請求項２】
前記テンプレートへ登録された前記設定項目を前記グラフィカルユーザインタフェースにて一覧表示することを特徴とする請求項１に記載のプログラマブル表示器の画面作成システム。
【請求項３】
一覧表示された前記設定項目の並び順を変更するための手段をさらに有することを特徴とする請求項２に記載のプログラマブル表示器の画面作成システム。
【請求項４】
前記テンプレートへ登録された前記設定項目の絞り込みを実施するための手段をさらに有することを特徴とする請求項２または３に記載のプログラマブル表示器の画面作成システム。
【請求項５】
前記設定項目の一覧表示に、前記部品のＩＤおよび名称の少なくとも一方の表示を含むことを特徴とする請求項２から４のいずれか一つに記載のプログラマブル表示器の画面作成システム。
【請求項６】
一覧表示上における前記設定項目の選択に連動して、当該選択された前記設定項目に対応する前記部品を、前記グラフィカルユーザインタフェースにて強調表示することを特徴とする請求項２から５のいずれか一つに記載のプログラマブル表示器の画面作成システム。
【請求項７】
前記テンプレートへ登録された前記設定項目の削除と、前記テンプレートへ登録する前記設定項目の追加とを、一覧表示上にて受け付けることを特徴とする請求項２から６のいずれか一つに記載のプログラマブル表示器の画面作成システム。
【請求項８】
前記設定項目をグループ化して表示可能であることを特徴とする請求項２から７のいずれか一つに記載のプログラマブル表示器の画面作成システム。
【請求項９】
グループ化された前記設定項目のそれぞれに設定されている設定値を一括して変更するための手段をさらに有することを特徴とする請求項８に記載のプログラマブル表示器の画面作成システム。
【請求項１０】
前記グラフィカルユーザインタフェース上にて、ライブラリへの前記テンプレートの登録と、前記ライブラリに登録されている前記テンプレートの読み出しとを受け付けることを特徴とする請求項１から９のいずれか一つに記載のプログラマブル表示器の画面作成システム。
【請求項１１】
前記ライブラリへ登録されている前記テンプレートの編集により、前記画面作成システム上にある登録元の前記テンプレートへ当該編集の内容が反映されることを特徴とする請求項１０に記載の画面作成システム。
【発明の詳細な説明】
【技術分野】
【０００１】
本発明は、プログラマブル表示器の画面作成システムに関する。
【背景技術】
【０００２】
プログラマブル表示器に表示させるユーザ独自の画面を作成する場合において、ユーザは、画面作成システムのグラフィカルユーザインタフェース（ＧＵＩ）上に複数の部品を配置し、この部品を構成する設定項目をそれぞれ設定する。また、画面データの共通設定やスクリプト等の設定項目をそれぞれ設定する。その際に、複数の部品、画面データの共通設置、スクリプト等が作り込まれた作成済みの画面データを流用することで、簡単に、かつ早く画面を作成することが可能となる。
【先行技術文献】
【特許文献】
【０００３】
【特許文献１】特開２００３−１８６６７１号公報
【特許文献２】特開２００６−９９５６６号公報
【発明の概要】
【発明が解決しようとする課題】
【０００４】
従来の技術では、流用する画面データについて、複数の部品、画面データの共通設定、スクリプト等を編集する場合、部品や設定項目を一つずつ選択して、設定の確認および変更を行うこととなる。また、設定項目を一括して変更する場合は、設定項目の絞り込みのための煩雑な条件入力が必要となる場合がある。【０００５】
また、流用したい画面データを得るために、パーソナルコンピュータやサーバ等に保有する大規模なデータベースから一つずつ、ユーザが画面データを開く等の作業を要する場合もある。このように、従来の技術では、画面データの編集や再利用の際に手間を要する場合があることが課題となる。【０００６】
本発明は、上記に鑑みてなされたものであって、画面データの編集や再利用における作業効率の向上を可能とする、プログラマブル表示器の画面作成システムを得ることを目的とする。
【課題を解決するための手段】
【０００７】
上述した課題を解決し、目的を達成するために、本発明は、プログラマブル表示器に表示させる画面を、グラフィカルユーザインタフェース上での部品の配置により作成するための画面作成システムであって、前記グラフィカルユーザインタフェース上にて、複数の前記部品と、前記部品を構成する設定項目とをテンプレートとして登録するための、前記設定項目の選択を受け付ける手段を有することを特徴とする。
【発明の効果】
【０００８】
本発明にかかるプログラマブル表示器の画面作成システムは、複数の部品、画面データの共通設定、スクリプト等の各設定を一つの一覧として表示および編集することができ、画面データの効率的な編集や再利用が可能となる。また、大量な画面データを格納するデータベースから所望の画面データを探す必要がなくなる。これにより、画面データを流用する際における工数の削減が可能となる。
【図面の簡単な説明】
【０００９】
【図１】図１は、本発明の実施の形態にかかるプログラマブル表示器の画面作成システムによる画面作成のイメージを示す図である。
【図２】図２は、テンプレートのプロパティ登録ウィンドウの例を示す図である。
【図３】図３は、登録したテンプレートのプロパティウィンドウの例を示す図である。
【図４】図４は、画面における部品の強調表示について説明する図である。
【図５】図５は、グループ化された設定項目に同一の設定値が設定されている場合の一括変更について説明する図である。
【図６】図６は、グループ化された設定項目に同一の設定値が設定されている場合の一括変更について説明する図である。
【図７】図７は、設定値の規則性を保持する場合の一括変更について説明する図である。
【図８】図８は、設定値の規則性を保持する場合の一括変更について説明する図である。
【図９】図９は、個別に設定値を変更する場合について説明する図である。
【図１０】図１０は、個別に設定値を変更する場合について説明する図である。
【図１１】図１１は、ライブラリへのテンプレートの登録について説明する図である。
【図１２】図１２は、ライブラリウィンドウの例を示す図である。
【発明を実施するための形態】
【００１０】
以下に、本発明にかかるプログラマブル表示器の画面作成システムの実施の形態を図面に基づいて詳細に説明する。なお、この実施の形態によりこの発明が限定されるものではない。
【００１１】
実施の形態．
図１は、本発明の実施の形態にかかるプログラマブル表示器の画面作成システムによる画面作成のイメージを示す図である。プログラマブル表示器に表示させる画面１０１は、パーソナルコンピュータ等にインストールされたソフトウェアである画面作成システムを用いて作成可能とされている。画面作成システムによって作成された画面１０１は、画面データとしてプログラマブル表示器に転送されて記憶される。
【００１２】
ユーザは、画面作成システムのＧＵＩ上で部品を配置して、所望の画面１０１を構成する。この実施の形態において部品とは、スイッチ、メータの数値表示、タイトル文字、グラフ等の各画像であって、物体を構成する部品のように画面１０１上で配置や組み合わせが可能な要素とする。
【００１３】
ユーザは、ツールバー、ＧＵＩ上の複数の部品を選択し、コンテキストメニュー、ショートカットキー等の操作によって、テンプレートとして新規登録する。
【００１４】
図２は、テンプレートのプロパティ登録ウィンドウの例を示す図である。画面作成システムは、テンプレートの新規登録を実行した際に、ＧＵＩ上にプロパティ登録ウィンドウ１０２を表示する。プロパティ登録ウィンドウ１０２には、新規登録されたテンプレートに追加する設定項目の候補が表示される。
【００１５】
プロパティ登録ウィンドウ１０２は、複数の部品と、部品を構成する設定項目とをテンプレートとして登録するための、設定項目の選択を受け付ける手段とする。ユーザは、例えば、「プロパティ名／種類」の欄に表示されているチェックボックスにチェックを入れることで、部品の任意の設定項目を選択し、登録する。
【００１６】
画面作成システムは、各部品の設定項目の中から同一あるいは類似の設定項目を自動的に判別してグループ化の候補とし、プロパティ登録ウィンドウ１０２に表示する。画面作成システムは、グループ化した設定項目を一つの設定項目としても登録できる。
【００１７】
図３は、登録したテンプレートのプロパティウィンドウの例を示す図である。画面作成システムは、テンプレートへ登録された設定項目を、ＧＵＩ上のプロパティウィンドウ２０１に一覧表示することができる。設定項目の一覧表示には、部品のＩＤおよび名称の少なくとも一方が含まれる。ユーザは、プロパティウィンドウ２０１に表示されている設定項目がいずれの部品を構成するものであるかを、部品のＩＤまたは名称によって確認することができる。
【００１８】
画面作成システムは、プロパティウィンドウ２０１の一覧表示上における設定項目の選択に連動して、当該選択された設定項目に対応する部品を画面１０１にて強調表示する。例えば、プロパティウィンドウ２０１にて、ある設定項目の設定値「Ｄ３０」のセル２０４をクリックすると、セル２０４の文字色と背景色とが反転する。セル２０４のクリックにより選択された設定項目に対応する部品（部品ＩＤ１００１５の上限値デバイススイッチ）２１０は、図４に示すように、画面１０１において強調表示される。強調表示は、例えば、部品の周囲に特定のマークが表れるようにしたものとする。強調表示は、特定の部品を視覚によって容易に認識可能であれば、いずれの態様によるものであっても良い。
【００１９】
画面１０１での部品の強調表示により、ユーザは、設定値の変更等の編集の対象とする部品をＧＵＩ上にて確認でき、意図とは別の部品を誤って編集することの抑制が可能となる。
【００２０】
プロパティウィンドウ２０１には、テンプレートへ登録された設定項目の絞り込みを実施するための手段として、絞り込み条件入力欄２０３が表示される。画面作成システムは、絞り込み条件入力欄２０３へ文字列が入力されることにより、入力された文字列を含むプロパティの行のみを表示することができる。
【００２１】
また、画面作成システムは、「部品ＩＤ」と表示されたセル２０５がクリックされると、部品ＩＤが昇順となるように設定項目のソートを実施する。セル２０５は、一覧表示された設定項目の並び順を変更するための手段とされている。設定項目の絞り込みによる表示や並び順の変更により、ユーザは、所望の設定項目を一覧表示から効率良く検索し、確認することができる。
【００２２】
プロパティウィンドウ２０１において、「プロパティ名／種類」のうち、グループ化された設定項目の名称のセル２０６、２０７、２０８、２０９には、任意の名称を設定することができる。図示する例では、グループ化された設定項目の名称として、セル２０６に「上限値デバイス」、セル２０７に「Ｊ１軸色」、セル２０８に「Ｊ２軸色」、セル２０９に「タイトルフォント」とそれぞれ設定されている。
【００２３】
グループ化された設定項目は、プロパティウィンドウ２０１において階層表示されている。セル２０６、２０７、２０８、２０９には、階層表示の折り畳みと展開とを切り替えるための階層ボタンが設けられている。
【００２４】
図５から図９は、プロパティウィンドウ２０１における設定値の変更について説明する図である。図５および図６は、グループ化された設定項目に同一の設定値が設定されている場合の一括変更について説明する図である。例えば、図５に示すように、「Ｊ２軸色」のグループの各設定項目について、設定値として同一の色、例えば赤色が設定されているとする。各設定項目の設定値のセルには、赤色に塗られた矩形３０１が表示されている。グループの名称の行における設定値のセルは、グループ全体の設定値を表している。この例では、各設定項目の色設定として、赤色に塗られた矩形３０１が表示されている。
【００２５】
この状態から、「Ｊ２軸色」のグループの各設定項目の色設定を赤色から灰色へと一括変更する場合に、図６に示すように、グループ全体の設定値を表示するセルの表示を、灰色に塗られた矩形３０２へと切り替える。これに応じて、各設定項目のセルの表示も、灰色へ塗られた矩形３０２へと自動的に切り替えられ、グループの各設定項目の色設定は赤色から灰色へと変更される。
【００２６】
図５および図６に示す例では、同一の設定値が設定されているグループについて、共通の設定値への一括変更を可能とする。グループ全体の設定値を表示するセルは、グループ化された設定項目のそれぞれに設定されている設定値を一括して変更するための手段とされている。
【００２７】
図７および図８は、設定値の規則性を保持する場合の一括変更について説明する図である。例えば、図７に示すように、「上限値デバイス」のグループの各設定項目について、設定値として、デバイス値「Ｄ０」、「Ｄ１０」、「Ｄ２０」、「Ｄ３０」が設定されているとする。グループの名称の行における設定値のセルには、グループ内の設定項目に設定されたデバイス値の範囲「Ｄ０〜Ｄ３０」の文字列３１１が示されている。
【００２８】
この状態から、「上限値デバイス」のグループの各設定項目のデバイス値をＤｎからＤ（ｎ＋５）（ｎは自然数）へ一括変更する場合に、図８に示すように、デバイス値の範囲を「Ｄ５〜Ｄ３５」とする文字列３１２に書き換える。これに応じて、各設定項目のセルの表示も、「Ｄ５」、「Ｄ１５」、「Ｄ２５」、「Ｄ３５」へと自動的に切り替えられ、デバイス値がＤｎからＤ（ｎ＋５）へと変更される。
【００２９】
図７および図８に示す例では、設定値の規則性を維持した一括変更を可能とする。この例においても、図５および図６の例と同様に、グループ全体の設定値を表示するセルが、設定項目の設定値を一括して変更するための手段とされている。
【００３０】
なお、設定項目の設定値は、グループ化されているか否かに関わらず個別に変更することができるものとする。例えば、図９に示すように、「Ｊ２軸色」のグループの各設定項目について、設定値として同一の色、例えば赤色が設定されている場合に、所定の設定項目の赤色の矩形３２１を、図１０に示すように灰色の矩形３２２へと切り替える。これにより、グループ内の所定の設定項目のみについて、色設定が赤色から灰色へと変更される。また、グループ内にて設定値に差異が生じたことに応じて、グループ全体の設定値を表示するセルが空欄となる。このように、画面作成システムは、任意の設定項目について設定値を変更することができる。
【００３１】
画面作成システムは、テンプレートとして登録された設定項目の削除と、テンプレートへ登録する設定項目の追加とを、プロパティウィンドウ２０１の一覧表示上にて受け付ける。ユーザは、例えば、プロパティウィンドウ２０１のオプションキー２０２、ツールバー、コンテキストメニュー、ショートカットキー等によってプロパティ編集を選択し、設定項目の削除や追加のための編集を実行する。これにより、簡易な操作により、設定項目のグループの新たな登録、既存の設定項目のグループの削除、既存の設定項目のグループへの設定項目の追加や削除ができる。
【００３２】
作成済みのテンプレートへ新たに部品を追加するには、既存のテンプレートと所望の部品とを選択して、ツールバー、コンテキストメニュー、ショートカットキー等によって部品の追加を指示する。また、作成済みのテンプレートから部品を削除するには、既存のテンプレートから、ツールバー、コンテキストメニュー、ショートカットキー等によって部品の削除を指示する。これにより、既存のテンプレートを基に、簡易な操作により、部品の追加や削除ができる。
【００３３】
作成済みのテンプレートの登録を解除するには、既存のテンプレートを選択して、ツールバー、コンテキストメニュー、ショートカットキー等によってテンプレートの登録解除を指示する。
【００３４】
図１１および図１２は、ライブラリへのテンプレートの登録について説明する図である。ユーザは、図１１に示す画面作成システムのＧＵＩ上のテンプレート４０１を、図１２に示すライブラリウィンドウへドラッグアンドドロップすることにより、ライブラリへのテンプレートの登録を実行する。
【００３５】
ライブラリへ登録されているテンプレート４０２は、ライブラリウィンドウから画面作成システムのＧＵＩ上へのドラッグアンドドロップにより読み出し、画面作成システムにて使用することができる。これにより、既存のテンプレートを簡易な操作により再利用することができる。
【００３６】
ライブラリへ登録されているテンプレート４０２を編集した場合、画面作成システム上にある登録元のテンプレート４０１へ当該編集の内容が反映される。これにより、ライブラリへ登録されているテンプレート４０２と画面作成システム上のテンプレート４０１との同一性を維持することができる。
【符号の説明】
【００３７】
１０１  画面
１０２  プロパティ登録ウィンドウ
２０１  プロパティウィンドウ
２０２  オプションキー
２０３  絞り込み条件入力欄
４０１、４０２  テンプレート
【図１】
2012086049.tif 000003
【図２】
2012086049.tif 000004
【図３】
2012086049.tif 000005
【図４】
2012086049.tif 000006
【図５】
2012086049.tif 000007
【図６】
2012086049.tif 000008
【図７】
2012086049.tif 000009
【図８】
2012086049.tif 000010
【図９】
2012086049.tif 000011
【図１０】
2012086049.tif 000012
【図１１】
2012086049.tif 000013
【図１２】
2012086049.tif 000014
【手続補正書】
【提出日】平成23年4月20日(2011.4.20)
【手続補正１】
【補正対象書類名】特許請求の範囲
【補正対象項目名】全文
【補正方法】変更
【補正の内容】
【特許請求の範囲】
【請求項１】
プログラマブル表示器のグラフィカルユーザインタフェースにて表示させる画面を作成するための画面作成システムであって、
前記画面を構成する要素とする複数の部品について、前記部品の構成に関して設定される設定項目をテンプレートとして登録するための手段を有し、
前記グラフィカルユーザインタフェース上から選択された部品について前記テンプレートの新規登録が指示されると、前記テンプレートの登録のための前記手段は、前記選択された部品の各々についての設定項目を属性に応じてグループ化して提示し、前記テンプレートに含ませる設定項目の選択を受け付けることを特徴とするプログラマブル表示器の画面作成システム。
【請求項２】
前記テンプレートへ登録された前記設定項目を、前記グラフィカルユーザインタフェースにて、グループ化された状態として一覧表示することを特徴とする請求項１に記載のプログラマブル表示器の画面作成システム。
【請求項３】
一覧表示された前記設定項目の並び順を変更するための手段をさらに有することを特徴とする請求項２に記載のプログラマブル表示器の画面作成システム。
【請求項４】
前記テンプレートへ登録された前記設定項目の絞り込みを実施するための手段をさらに有することを特徴とする請求項２または３に記載のプログラマブル表示器の画面作成システム。
【請求項５】
前記設定項目の一覧表示に、前記部品のＩＤおよび名称の少なくとも一方の表示を含むことを特徴とする請求項２から４のいずれか一つに記載のプログラマブル表示器の画面作成システム。
【請求項６】
前記テンプレートへ登録された前記設定項目に応じて前記グラフィカルユーザインタフェース上で表示されている前記画面では、一覧表示上における前記設定項目の選択に連動して、当該選択された前記設定項目に対応する前記部品を強調表示することを特徴とする請求項２から５のいずれか一つに記載のプログラマブル表示器の画面作成システム。
【請求項７】
前記テンプレートへ登録された前記設定項目の削除と、前記テンプレートへ登録する前記設定項目の追加とを、一覧表示上にて受け付けることを特徴とする請求項２から６のいずれか一つに記載のプログラマブル表示器の画面作成システム。
【請求項８】
（削除）
【請求項９】
同一の設定値が前記設定項目に設定されているグループについて各設定値を共通の設定値へ一括変更するための手段と、規則性を持たせた設定値が前記設定項目に設定されているグループについて前記規則性を維持した状態で各設定値を一括変更するための手段と、の少なくとも一方をさらに有することを特徴とする請求項２から７のいずれか一つに記載のプログラマブル表示器の画面作成システム。
【請求項１０】
前記グラフィカルユーザインタフェース上にて、ライブラリへの前記テンプレートの登録と、前記ライブラリに登録されている前記テンプレートの読み出しとを受け付けることを特徴とする請求項１から７および９のいずれか一つに記載のプログラマブル表示器の画面作成システム。
【請求項１１】
前記ライブラリへ登録されている前記テンプレートの編集により、前記画面作成システム上にある登録元の前記テンプレートへ当該編集の内容が反映されることを特徴とする請求項１０に記載の画面作成システム。
【手続補正２】
【補正対象書類名】明細書
【補正対象項目名】０００２
【補正方法】変更
【補正の内容】
【０００２】
［０００６］
本発明は、上記に鑑みてなされたものであって、画面データの編集や再利用における作業効率の向上を可能とする、プログラマブル表示器の画面作成システムを得ることを目的とする。
課題を解決するための手段
［０００７］
上述した課題を解決し、目的を達成するために、本発明は、プログラマブル表示器のグラフィカルユーザインタフェースにて表示させる画面を作成するための画面作成システムであって、前記画面を構成する要素とする複数の部品について、前記部品の構成に関して設定される設定項目をテンプレートとして登録するための手段を有し、前記グラフィカルユーザインタフェース上から選択された部品について前記テンプレートの新規登録が指示されると、前記テンプレートの登録のための前記手段は、前記選択された部品の各々についての設定項目を属性に応じてグループ化して提示し、前記テンプレートに含ませる設定項目の選択を受け付けることを特徴とする。
発明の効果
［０００８］
本発明にかかるプログラマブル表示器の画面作成システムは、複数の部品、画面データの共通設定、スクリプト等の各設定を一つの一覧として表示および編集することができ、画面データの効率的な編集や再利用が可能となる。また、大量な画面データを格納するデータベースから所望の画面データを探す必要がなくなる。これにより、画面データを流用する際における工数の削減が可能となる。
図面の簡単な説明
［０００９］
［図１］図１は、本発明の実施の形態にかかるプログラマブル表示器の画面作成システムによる画面作成のイメージを示す図である。
［図２］図２は、テンプレートのプロパティ登録ウィンドウの例を示す図である。
［図３］図３は、登録したテンプレートのプロパティウィンドウの例を示す図である。
［図４］図４は、画面における部品の強調表示について説明する図である。
［図５］図５は、グループ化された設定項目に同一の設定値が設定されている場合の一括変更について説明する図である。
［図６］図６は、グループ化された設定項目に同一の設定値が設定されている場
【国際調査報告】
2012086049.tif 000015
2012086049.tif 000016
2012086049.tif 000017
2012086049.tif 000018